(57)【要約】【課題】取り外し作業における負担の軽減を図ることができる床付き布わくのつかみ金具を提案する。【解決手段】床付き布わくの縁部に設けられ、足場を構築する横部材に引っ掛けて該床付き布わくを該横部材に係留する床付き布わくのつかみ金具において、下向きに開放された凹所Ｍを有し、該凹所Ｍの開放端を通して該横部材に引っ掛けるフック１ａと、該フック１ａの側面に設けられ、該床付き布わくの係留姿勢で該凹所Ｍの開放端を狭める外れ止め１ｂとを備え、該フック１ａの側面に、先端に頭部を有し互いに間隔を隔ててそれぞれ固定保持される少なくとも２本のスタッド２ａ、２ｂを設け、該外れ止め１ｂに、該スタッド２ａ、２ｂをそれぞれ挿通させる長孔３、４を有しその長孔３、４を通して該スタッド２ａ、２ｂに吊り下げ保持されるとともにその最下部を該横部材の外表面に当接させて該フック１ａを該横部材の直上で仮預け状態に保持可能な凹状円弧部６を設ける。【選択図】図１
2017166207.tif 000002
【特許請求の範囲】
【請求項１】
床付き布わくの縁部に設けられ、足場を構築する横部材に引っ掛けて該床付き布わくを該横部材に係留する床付き布わくのつかみ金具であって、
下向きに開放された凹所を有し、該凹所の開放端を通して該横部材に引っ掛けるフックと、該フックの側面に設けられ、該床付き布わくの係留姿勢で該凹所の開放端を狭める外れ止めとを備え、
該フックの側面に、先端に頭部を有し互いに間隔を隔ててそれぞれ固定保持される少なくとも２本のスタッドを設け、
該外れ止めは、該スタッドをそれぞれ挿通させる長孔を有しその長孔を通して該スタッドに吊り下げ保持されるとともにその最下部を該横部材の外表面に当接させて該フックを該横部材の直上で仮預け状態に保持可能な凹状円弧部を有することを特徴とする床付き布わくのつかみ金具。
【請求項２】
前記外れ止めは、その上部に、横部材との接触によって該外れ止めそのものを押圧する突起を有することを特徴とする請求項１に記載した床付き布わくのつかみ金具。
【請求項３】
前記長孔の少なくとも１つは、前記フックが仮預け状態に保持された状態で前記スタッドを入れ込む切欠き凹部を有する請求項１または２に記載した床付き布わくのつかみ金具。
【発明の詳細な説明】
【技術分野】
【０００１】
本発明は、作業床や作業通路を構築する際に使用される床付き布わく（若しくは板付き布わく）を、建わくの横架材や足場の腕木材に係留するのに好適なつかみ金具に関するものである。以下、建わくの横架材や足場の腕木材を「横部材」と記すこととする。
【背景技術】
【０００２】
作業床や作業通路を構築するのに使用される床付き布わくは、図１０に示すように、一対の短辺とこれら短辺につながる一対の長辺にて取り囲まれた輪郭形状を有する矩形の板状体にて構成されているのが普通であり、板状体の四隅に設けられたつかみ金具を図１１に示す如く横部材に引っ掛けることによって横部材に水平状態に係留している。
【０００３】
この種の床付き布わくは、風の吹き上げや下方からの予期しない突き上げ等によってつかみ金具が横部材から簡単に外れることがないように各つかみ金具にはロック機構を構成するための外れ止め（可動爪）が必ず備えられている。ところで、該外れ止めは、スタッドを介してつかみ金具の本体部分に吊り下げられており、その自重による移動（落下）でもって自動的にロックする、いわゆるセルフロック構造になっているため、床付き布わくの取り外しに際しては、その一端側で外れ止めによるロックを解除したならばその部位を一旦持ち上げ、その状態を維持したままもう一端側で外れ止めによるロックを解除する作業が必要であり、この作業を一人で行う場合には作業にかかる負担が大きく（床付き布わくは、重量（質量）が１枚につき１４〜１６ｋｇ程度）、床付き布わくの効率的な取り外しが行えないところに問題を残している。
【０００４】
この点に関する先行技術として、例えば特許文献１には、固定爪と可動爪で外側に向けて開いた横向きＵ字状をなす開口を設けた床付き布わくが提案されているものの、上記の如きセルフロック構造を保有したままで作業にかかる負担の軽減を図り得る床付き布わくに対する上市も望まれている。
【先行技術文献】
【特許文献】
【０００５】
【特許文献１】特開２００１−１６４７５０号公報
【発明の概要】
【発明が解決しようとする課題】
【０００６】
本発明の課題は、セルフロック構造を保有したままで作業にかかる負担を軽減して床付き布わくの効率的な取り外しが行える床付き布わくのつかみ金具を提案するところにある。
【課題を解決するための手段】
【０００７】
本発明は、床付き布わくの縁部に設けられ、足場を構築する横部材に引っ掛けて該床付き布わくを該横部材に係留する床付き布わくのつかみ金具であって、下向きに開放された凹所を有し、該凹所の開放端を通して該横部材に引っ掛けるフックと、該フックの側面に設けられ、該床付き布わくの係留姿勢で該凹所の開放端を狭める外れ止めとを備え、該フックの側面に、先端に頭部を有し互いに間隔を隔ててそれぞれ固定保持される少なくとも２本のスタッドを設け、該外れ止めは、該スタッドをそれぞれ挿通させる長孔を有しその長孔を通して該スタッドに吊り下げ保持されるとともにその最下部を該横部材の外表面に当接させて該フックを該横部材の直上で仮預け状態に保持可能な凹状円弧部を有することを特徴とする床付き布わくのつかみ金具である。
【０００８】
上記の構成からなる床付き布わくのつかみ金具としては、前記外れ止めの上部に、横部材との接触によって該外れ止めそのものを押圧する突起を有すること、また、前記長孔の少なくとも１つは、前記フックが仮預け状態に保持された状態で前記スタッドを入れ込む切欠き凹部を有するのが好ましい。
【発明の効果】
【０００９】
本発明の床付き布わくのつかみ金具によれば、ロック機構を解除した状態で該つかみ金具（フック）を横部材に仮預け状態にしておくことができるので、作業にかかる負担が軽減され、床付き布わくの効率的な取り外しが行える。また、外れ止めには、スタッドを挿通させる少なくとも２つの長孔が形成されているため、単一の孔を通してスタッドに吊下げ保持する構造のものに比較して強度の改善が見込める。
【図面の簡単な説明】
【００１０】
【図１】（ａ）〜（ｃ）は、本発明にしたがう床付き布わくのつかみ金具の実施の形態を模式的に示した図である。
【図２】（ａ）〜（ｃ）は、図１に示したつかみ金具のフックのみを取り出して示した図である。
【図３】（ａ）〜（ｃ）は、図１に示したつかみ金具の外れ止めのみを取り出して示した図である。
【図４】外れ止め（板状片）の可動状況の説明図である。
【図５】（ａ）〜（ｃ）は、床付き布わくの取付け状況の説明図である。
【図６】外れ止め（板状片）を仮預け状態に保持した状態を示した図である。
【図７】本発明にしたがう床付き布わくのつかみ金具の他の実施の形態を模式的に示した図である。
【図８】本発明にしたがう床付き布わくのつかみ金具の他の実施の形態を模式的に示した図である。
【図９】本発明にしたがう床付き布わくのつかみ金具の他の実施の形態を模式的に示した図である。
【図１０】一般的な床付き布わくの外観を斜視図で示した図である。
【図１１】図１０に示した床付き布わくを横部材に取り付けた状態を示した図である。
【発明を実施するための形態】
【００１１】
以下、図面を参照して本発明をより具体的に説明する。
図１（ａ）〜（ｃ）は、本発明にしたがう床付き布わくのつかみ金具の実施の形態を模式的に示した図であり、（ａ）は正面図、（ｂ）は平面図、（ｃ）は側面図である。また、図２（ａ）〜（ｃ）は、フック本体のみを取り出して示した図であり、図３（ａ）〜（ｃ）は、外れ止めのみを取り出して示した図である。なお、床付き布わくは、例えば、ＳＧＨＣ等の部材で構成され、つかみ金具は、例えば、ＳＳ４００等の部材で構成される。
【００１２】
図１〜３における符号１は、床付き布わくの縁部（四隅）に設けられるつかみ金具である。このつかみ金具１は、下向きに開放された凹所Ｍを有し、該凹所Ｍの開放端を通して横部材に引っ掛けるフック１ａと、フック１ａの側面に設けられ、床付き布わくの係留姿勢で凹所Ｍの開放端を狭める外れ止め１ｂとを備えたもので構成されている。
【００１３】
外れ止め１ｂとしては、具体的には、その先端部に横部材の外表面に部分的に当接可能な凹部１ｂ１（横部材の外表面と同等のＲ（アール）を有するもの）を有する板状片が適用される（以下、外れ止め１ｂを板状片１ｂとして表示する）。
【００１４】
また、２ａ、２ｂは、フック１ａの側面に間隔を隔てて設けられたスタッドである。スタッド２ａ、２ｂは、先端に頭部を備えており（頭部はスタッドの本体部分よりもサイズが大きいものからなる）、その本体部分はフック１ａの側面に対して直交する向きに固定保持されている。
【００１５】
また、３、４は、板状片１ｂに設けられた長孔である。この長孔３、４は、スタッド２ａ、２ｂを挿通させる貫通開口を形成するものであり、この長孔３、４にスタッド２ａ、２ｂをそれぞれ通すことで板状片１ｂをスタッド２ａ、２ｂに吊下げ保持する。本発明では、長孔３、４を別個に２つ設けるようにしたが、長孔をスタッド毎に設けることにより、単一の長孔を設ける場合に比較して板状片１ｂの強度が高められる。
【００１６】
長孔３、４は、板状片１ｂを長孔３、４の形成された範囲内で図４に示す如き曲線軌道を描くように時計回り、反時計回りに回動させることができる形状からなっており、これによって凹所Ｍの開口端の寸法Ｗの拡縮を可能としている（図２参照）。なお、長孔３、４の形状は、適宜変更することが可能であり、図示のものに限定はされない。
【００１７】
また、５は、板状片１ｂの凹部１ｂ１の上部に設けられる突起である。この突起５は、床付き布わくを横部材に設置するとき該横部材との接触により板状片１ｂそのものを押圧するものであって、これにより、該板状片１ｂを、スタッド２ａ、２ｂによる吊り下げ状態で時計回りに回動させることができるようになっている。
【００１８】
６は、板状片１ｂの最下部に設けられた凹状円弧部である。この凹状円弧部６を横部材の外表面に当接させることによってフック１ａを横部材の直上で仮預け状態に保持する。さらに、７は、長孔４に設けられた切欠き凹部である。この切欠き凹部７は、フック１ａが仮預け状態に保持されたときにスタッド２ｂが入り込む部分であって、ここにスタッド２bが入り込むことによりフック１ａの仮預け姿勢が安定的に維持される。
【００１９】
かかる構成からなるつかみ金具を備えた床付き布わくを横部材に設置するには、まず、板状片１ｂを図５（ａ）に示すように、横部材の上面部に当接させる（横部材へ下げる）。そうすると、板状片１ｂは、上に向けて移動するとともに長孔３、４の傾きにより自動的に反時計方向に回転し、フック１ａの開放端が拡がることとなるので、その状態を維持したまま横部材を凹所Ｍに入れ込む。
【００２０】
凹所Ｍに横部材を入れ込むことにより板状片１ｂは、図５（ｂ）に示すようにその凹部１ｂ１の上部に設けられた突起５が横部材に接触するとともに板状片１ｂが押圧されて長孔３、４の範囲内で板状片１ｂがその自重でもって落下、時計回りに回動する。そして、この回動により図５（ｃ）に示す如くフック１ａの凹所Ｍの開放端が狭められ、床付き布わくが横部材に自動的にロックされる。
【００２１】
床付き布わくを横部材から取り外す（解体）には、板状片１ｂを長孔３、４の範囲内で反時計回り回動させて（作業者の手で板状片１ｂを回動させる）ロック状態を解除するとともに床付き布わくを持ち上げ、さらに、板状片１ｂを長孔３、４の範囲内で時計回りに回動させて板状片１ｂの凹状円弧部６を図６に示すように横部材の外表面に当接させればよい。
【００２２】
この状態でフック１ａは、横部材の直上で仮預け状態に保持されるため、床付き布わくを持ち上げておかずとも再度ロックされることはなく、これに引き続いて床付き布わくの反対側に位置するフック１ａについてロックの解除を行い、さらに、床付き布わくを、先にロックの解除を行ったフック１ａへ向けてスライドさせればよく、これにより床付き布わくは横部材から簡単に取り外すことができる。
【００２３】
本発明の床付き布わくのつかみ金具は、上記のように、フック１ａのロックを解除したのち、フック１ａを仮預け状態に保持することが可能であるため、一人による作業であってもその負担が軽減され、床付き布わくを効率的に、しかも安全に取り外すことができる。
【００２４】
図７〜９は、本発明にしたがう床付き布わくのつかみ金具の他の例を仮預け状態で示した図である。板状片１ｂの形状や凹状円弧部６の当接長さも適宜変更することができる。
【００２５】
とくに図９に示した床付き布わくのつかみ金具は、フック１ａの上面が床付き布わくの踏板部分の高さと同じレベルとしたものであり、床付き布わくを敷き詰めて床面を形成した場合に、フック１ａの上面が突出することがない（フラットな床面を形成できる）利点を有している。
【００２６】
板状片１ｂの形状を変更するに当たっては、確実なロックが行え、かつ、フック１ａが横部材の直上で仮預け状態に保持することができるように、長孔３、４の形状を適宜変更することが肝要であり、この場合も板状片１ｂの強度を確保するため、長孔はスタッドの本数だけ設ける。
【産業上の利用可能性】
【００２７】
本発明によれば、自動ロック構造を保有したままで床付き布わくの取り外し作業に際して作業負担の軽減を図ることができる。
【符号の説明】
【００２８】
１      つかみ金具
１ａ    フック
１ｂ    外れ止め（板状片）
２ａ    スタッド
２ｂ    スタッド
３      長孔
４      長孔
５      突起
６      凹状円弧部
７      切欠き凹部
Ｍ      凹所
【図１】
2017166207.tif 000003
【図２】
2017166207.tif 000004
【図３】
2017166207.tif 000005
【図４】
2017166207.tif 000006
【図５】
2017166207.tif 000007
【図６】
2017166207.tif 000008
【図７】
2017166207.tif 000009
【図８】
2017166207.tif 000010
【図９】
2017166207.tif 000011
【図１０】
2017166207.tif 000012
【図１１】
2017166207.tif 000013